(57)【要約】【課題】エジェクタのノズル部上流側で分岐された冷媒を減圧膨張させる絞り手段におけるベーパロックの発生を抑制する。【解決手段】放熱器１２出口側冷媒と圧縮機１１吸入側冷媒とを熱交換させる内部熱交換器２１を備えるエジェクタ式冷凍サイクルを車両用空調装置に適用する際に、放熱器１２出口側冷媒を内部熱交換器２１出口側から絞り手段１７入口側に導く冷媒通路を車室外に配置する。これにより、冬季の低外気温時の運転のように、内部熱交換器２１において放熱器１２出口側冷媒が加熱されるような運転条件であっても、絞り手段１７へ流入する冷媒を低温外気によって冷却できるので、絞り手段１７へ流入する冷媒が気液二相状態になることを抑制して、絞り手段１７におけるベーパロックの発生を抑制できる。【選択図】図１
2008025862.tif 000002
【特許請求の範囲】
【請求項１】
冷媒を圧縮して吐出する圧縮機（１１）と、
前記圧縮機（１１）から吐出された高圧冷媒を放熱させる放熱器（１２）と、
前記放熱器（１２）出口側冷媒の流れを分岐する分岐部（Ｚ）と、
前記分岐部（Ｚ）で分岐された一方の冷媒を減圧膨張させるノズル部（１４ａ）から噴射する高速度の冷媒流によって、冷媒を冷媒吸引口（１４ｂ）から吸引するエジェクタ（１４）と、
前記分岐部（Ｚ）で分岐された他方の冷媒を減圧膨張させる絞り手段（１７）と、
前記絞り手段（１７）下流側の低圧冷媒を、空調対象空間に送風される空気と熱交換させることによって蒸発させて、前記冷媒吸引口（１４ｂ）上流側に流出する蒸発器（１８）とを備え、
前記放熱器（１２）出口側から前記絞り手段（１７）入口側へ至る冷媒通路のうち少なくとも一部は、前記空調対象空間の外部に配置されていることを特徴とするエジェクタ式冷凍サイクル。
【請求項２】
前記放熱器（１２）出口側冷媒と前記圧縮機（１１）吸入側冷媒とを熱交換させる内部熱交換器（２１）を備え、
前記冷媒通路のうち前記空調対象空間の外部に配置される部位は、前記内部熱交換器（２１）よりも下流側に設けられていることを特徴とする請求項１に記載のエジェクタ式冷凍サイクル。
【請求項３】
冷媒を圧縮して吐出する圧縮機（１１）と、
前記圧縮機（１１）から吐出された高圧冷媒を放熱させる放熱器（１２）と、
前記放熱器（１２）出口側冷媒の流れを分岐する分岐部（Ｚ）と、
前記分岐部（Ｚ）で分岐された一方の冷媒と前記圧縮機（１１）吸入側冷媒とを熱交換させる内部熱交換器（２１）と、
前記内部熱交換器（２１）出口側冷媒を減圧膨張させるノズル部（１４ａ）から噴射する高速度の冷媒流によって、冷媒を冷媒吸引口（１４ｂ）から吸引するエジェクタ（１４）と、
前記分岐部（Ｚ）で分岐された他方の冷媒を減圧膨張させる絞り手段（１７）と、
前記絞り手段（１７）下流側の低圧冷媒を蒸発させて、前記冷媒吸引口（１４ｂ）上流側に流出する蒸発器（１８）とを備えることを特徴とするエジェクタ式冷凍サイクル。
【請求項４】
冷媒を圧縮して吐出する圧縮機（１１）と、
前記圧縮機（１１）から吐出された高圧冷媒を放熱させる放熱器（１２）と、
前記放熱器（１２）出口側冷媒の流れを分岐する分岐部（Ｚ）と、
前記分岐部（Ｚ）で分岐された一方の冷媒を減圧膨張させるノズル部（１４ａ）から噴射する高速度の冷媒流によって、冷媒を冷媒吸引口（１４ｂ）から吸引するエジェクタ（１４）と、
前記分岐部（Ｚ）で分岐された他方の冷媒を減圧膨張させる絞り手段（１７）と、
前記絞り手段（１７）下流側の低圧冷媒を蒸発させて、前記冷媒吸引口（１４ｂ）上流側に流出する蒸発器（１８）とを備え、
前記放熱器（１２）出口側から前記絞り手段（１７）入口側へ至る冷媒通路のうち少なくとも一部には、前記冷媒通路の内部と外部との熱移動を抑制する断熱材（１６ａ）が設けられていることを特徴とするエジェクタ式冷凍サイクル。
【請求項５】
冷媒を圧縮して吐出する圧縮機（１１）と、
前記圧縮機（１１）から吐出された高圧冷媒を放熱させる放熱器（１２）と、
前記放熱器（１２）に向けて空気を送風する放熱器用送風手段（１３）と、
前記放熱器（１２）出口側冷媒の流れを分岐する分岐部（Ｚ）と、
前記分岐部（Ｚ）で分岐された一方の冷媒を減圧膨張させるノズル部（１４ａ）から噴射する高速度の冷媒流によって、冷媒を冷媒吸引口（１４ｂ）から吸引するエジェクタ（１４）と、
前記分岐部（Ｚ）で分岐された他方の冷媒を減圧膨張させる絞り手段（１７）と、
前記絞り手段（１７）下流側の低圧冷媒を蒸発させて、前記冷媒吸引口（１４ｂ）上流側に流出する蒸発器（１８）と、
前記蒸発器（１８）に向けて空気を送風する蒸発器用送風手段（２０）と、
前記圧縮機（１１）吐出側から前記絞り手段（１７）入口側に至る冷媒通路内の高圧側冷媒圧力と前記絞り手段（１７）出口側から前記冷媒吸引口（１４ｂ）へ至る冷媒通路内の低圧側冷媒圧力との高低圧差を検出する高低圧差検出手段（３３、３４）とを備え、
前記高低圧差が予め定めた値以下になったとき、前記絞り手段（１７）へ流入する冷媒の圧力を上昇させるようになっていることを特徴とするエジェクタ式冷凍サイクル。
【請求項６】
前記高低圧差検出手段（３３、３４）は、実際の前記高圧側冷媒圧力と実際の前記低圧側冷媒圧力との差に基づいて、前記高低圧差を検出するようになっていることを特徴とする請求項５に記載のエジェクタ式冷凍サイクル。
【請求項７】
前記高低圧差検出手段は、前記放熱器用送風手段（１３）の送風量と前記蒸発器用送風手段（２０）の送風量との差に基づいて、前記高低圧差を検出するようになっていることを特徴とする請求項５に記載のエジェクタ式冷凍サイクル。
【請求項８】
前記高低圧差検出手段は、前記放熱器用送風手段（１３）の送風空気温度と前記蒸発器用送風手段（２０）の送風空気温度との差に基づいて、前記高低圧差を検出するようになっていることを特徴とする請求項５に記載のエジェクタ式冷凍サイクル。
【請求項９】
前記圧縮機（１１）吐出冷媒を前記放熱器（１２）下流側へ導くバイパス通路（３１）と、
前記バイパス通路（３１）を開閉する開閉手段（３２）と、
前記開閉手段（３２）の作動を制御する制御手段（３０）とを備え、
前記制御手段（３０）は、前記高低圧差が予め定めた値以下になったとき、前記バイパス通路（３１）を開くように前記開閉手段（３２）を作動させることを特徴とする請求項５ないし８のいずれか１つに記載のエジェクタ式冷凍サイクル。
【請求項１０】
前記放熱器用送風手段（１３）の作動を制御する制御手段を備え、
前記制御手段は、前記高低圧差が予め定めた値以下になったとき、前記放熱器用送風手段（１３）の作動を停止させることを特徴とする請求項５ないし８のいずれか１つに記載のエジェクタ式冷凍サイクル。
【請求項１１】
前記放熱器用送風手段（１３）の送風空気の流れを遮断する遮断機構と、
前記遮断機構の作動を制御する制御手段とを備え、
前記制御手段は、前記高低圧差が予め定めた値以下になったとき、前記送風空気の流れを遮断するように前記遮断機構を作動させることを特徴とする請求項５ないし８のいずれか１つに記載のエジェクタ式冷凍サイクル。
【発明の詳細な説明】
【技術分野】
【０００１】
本発明は、エジェクタを有するエジェクタ式冷凍サイクルに関する。
【背景技術】
【０００２】
従来、特許文献１に、圧縮機吐出冷媒を放熱させる放熱器の下流側、かつエジェクタのノズル部上流側の分岐部で冷媒の流れを分岐して、分岐された一方の冷媒をノズル部側へ流入させ、他方の冷媒をエジェクタの冷媒吸引口側へ流入させるエジェクタ式冷凍サイクルが開示されている。
【０００３】
この特許文献１のエジェクタ式冷凍サイクルでは、エジェクタのディフューザ部下流側にエジェクタから流出した冷媒を蒸発させる第１蒸発器を配置し、さらに、分岐部とエジェクタの冷媒吸引口の間に、冷媒を減圧させる絞り機構および冷媒を蒸発させて冷媒吸引口上流側に流出する第２蒸発器を配置して、双方の蒸発器において冷媒が吸熱作用を発揮できるようにしている。
【０００４】
また、エジェクタのディフューザ部の昇圧作用によって、第１蒸発器における冷媒蒸発圧力（冷媒蒸発温度）を第２蒸発器における冷媒蒸発圧力（冷媒蒸発温度）よりも上昇させて、それぞれの蒸発器において異なる温度帯で冷媒が蒸発できるようにしている。さらに、第１蒸発器の下流側を圧縮機吸入側に接続して、圧縮機吸入冷媒圧力を上昇させることで、圧縮機駆動動力を低減させてサイクル効率（ＣＯＰ）の向上を図っている。
【特許文献１】特開２００５−３０８３８０号公報
【発明の開示】
【発明が解決しようとする課題】
【０００５】
さらに、本発明者らは、先に、特願２００６−３６５３２号（以下、先願例という。）にて、特許文献１のエジェクタ式冷凍サイクルに、放熱器１２出口側冷媒と圧縮機１１吸入側冷媒とを熱交換させる内部熱交換器２１を設けたサイクル（図６に示す。）を提案している。
【０００６】
ここで、この先願例のサイクルの通常運転時における内部熱交換器２１の作用を図７により説明する。なお、図７は、先願例のサイクルの冷媒の状態を示したモリエル線図であり、通常運転時の冷媒の状態を破線で示し、二点鎖線は等温線を示している。
【０００７】
図７の破線に示すように、先願例のサイクルの通常運転時において、内部熱交換器２１は、放熱器１２出口側冷媒のエンタルピを、ａ→ｂに示すように減少させ、圧縮機１１吸入側冷媒のエンタルピを、ｃ→ｄに示すように増大させるように作用する。その結果、それぞれの蒸発器１５、１８における冷媒入口・出口間の冷媒のエンタルピ差を拡大できるので、サイクルの冷凍能力を増大できる。
【０００８】
ところで、先願例のサイクルを車両用空調装置に適用した場合、冬季の低外気温時に車室内を暖房する際等に、車室内吹出空気の除湿を目的として、サイクルを運転させる（以下、このような運転を低外気温除湿運転という。）ことがある。そして、それぞれの蒸発器１５、１８において除湿された冷風を、エンジン冷却水を熱源とするヒータコアにて再加熱して車室内に吹き出している。
【０００９】
この低外気温除湿運転時は、車室内の冷房を行う通常運転時に対して冷凍サイクルに要求される冷凍能力が少なくなるので、通常運転時に対して圧縮機の冷媒吐出能力を低下させた状態でサイクルが運転される。
【００１０】
従って、通常運転時に対して、冷凍サイクルの高圧側冷媒圧力と低圧側冷媒圧力との高低圧差が小さくなり、冷凍サイクル内を循環する冷媒流量も少なくなる。具体的には、この低外気温除湿運転時の冷媒の状態は、図７の実線で示すように、通常運転時の高低圧冷媒の高低圧差ΔＰｎに対して、低外気温除湿運転時の高低圧差ΔＰｄｈが縮小する。
【００１１】
さらに、低外気温除湿運転時には、放熱器１２において高圧側冷媒が低温の外気と熱交換して充分に放熱し、さらに、それぞれの蒸発器１５、１８において低圧側冷媒が高温の内気と熱交換して吸熱するので、放熱器１２出口側冷媒温度が圧縮機１１吸入側冷媒温度よりも低くなってしまうことがある。
【００１２】
そして、放熱器１２出口側冷媒温度が圧縮機１１吸入側冷媒温度よりも低くなってしまうと、内部熱交換器２１は、放熱器１２出口側冷媒のエンタルピを、図７のｅ→ｆに示すように増大させ、圧縮機１１吸入側冷媒のエンタルピを、図７のｇ→ｈに示すように減少させるように作用してしまう。
【００１３】
つまり、内部熱交換器２１において、それぞれの蒸発器１５、１８における冷媒入口・出口間の冷媒のエンタルピ差を縮小させて、サイクルの冷凍能力を低下させてしまうという好ましくない熱交換が行われてしまう。
【００１４】
さらに、低外気温除湿運転時には、外気温に対して、車室内温度が高くなるので、放熱器１２出口側冷媒を絞り手段１７入口側へ導く冷媒通路が車室内に配置されていると、この冷媒通路を通過する冷媒が車室内空気に加熱されてエンタルピを増加させてしまうことがある。
【００１５】
上述の内部熱交換器２１における好ましくない熱交換および上記の冷媒通路通過時の加熱によって、放熱器１２出口側冷媒のエンタルピが増大して気液二相状態になり、この気液二相状態の冷媒が絞り手段１７に流入すると、液相冷媒中に存在する気泡が絞り手段１７の小さい開度の冷媒通路を塞いでしまい、冷媒の流れを遮断してしまう。
【００１６】
さらに、前述の如く、低外気温除湿運転時においては、サイクル内を循環する冷媒流量が少なくなるので、上記の気泡を押し流すこともできない。そのため、第２蒸発器１８に冷媒が供給されなくなり、サイクルが所望の冷凍能力（除湿能力）を発揮できないという問題（いわゆる、ベーパロックの問題）が発生してしまう。
【００１７】
本発明は、上記点に鑑み、エジェクタのノズル部上流側で分岐された冷媒を減圧膨張させる絞り手段におけるベーパロックの発生を抑制することを目的とする。
【課題を解決するための手段】
【００１８】
上記の目的を達成するため、本発明では、冷媒を圧縮して吐出する圧縮機（１１）と、圧縮機（１１）から吐出された高圧冷媒を放熱させる放熱器（１２）と、放熱器（１２）出口側冷媒の流れを分岐する分岐部（Ｚ）と、分岐部（Ｚ）で分岐された一方の冷媒を減圧膨張させるノズル部（１４ａ）から噴射する高速度の冷媒流によって、冷媒を冷媒吸引口（１４ｂ）から吸引するエジェクタ（１４）と、分岐部（Ｚ）で分岐された他方の冷媒を減圧膨張させる絞り手段（１７）と、絞り手段（１７）下流側の低圧冷媒を、空調対象空間に送風される空気と熱交換させることによって蒸発させて、冷媒吸引口（１４ｂ）上流側に流出する蒸発器（１８）とを備え、放熱器（１２）出口側から絞り手段（１７）入口側へ至る冷媒通路のうち少なくとも一部は、空調対象空間の外部に配置されているエジェクタ式冷凍サイクルを第１の特徴とする。
【００１９】
これによれば、放熱器（１２）出口側から絞り手段（１７）入口側へ至る冷媒通路のうち、少なくとも一部を空調対象空間の外部に配置しているので、空調対象空間の外部の温度が空調対象空間の温度よりも低くなる運転条件において、上記冷媒通路を通過する冷媒を空調対象空間の外部に放熱させて冷却することができる。
【００２０】
例えば、第１の特徴のエジェクタ式冷凍サイクルを車両用空調装置に適用した場合、前述の低外気温除湿運転時のように、外気温（空調対象空間の外部の温度）が車室内温度（空調対象空間の温度）よりも低くなる運転条件において、冷媒通路を通過して絞り手段（１７）へ流入する冷媒を低温外気によって冷却するサイクル構成を容易に実現できる。
【００２１】
これにより、冷媒通路を通過して絞り手段（１７）へ流入する冷媒のエンタルピが増大することを抑制できるので、絞り手段（１７）へ流入する冷媒が気液二相状態になることを抑制できる。その結果、絞り手段（１７）におけるベーパロックの発生を抑制できる。
【００２２】
もちろん、第１の特徴のエジェクタ式冷凍サイクルを車両用空調装置に適用した場合に、夏季の高外気温時に外気によって冷媒通路を通過する冷媒が加熱されてしまうという不具合は発生しない。その理由は、冷媒通路を通過する冷媒は、放熱器（１２）において外気と熱交換して放熱するので、冷媒通路を通過する冷媒の温度が外気温よりも低くなることがないからである。
【００２３】
なお、本発明における空調対象空間とは、温度、湿度等が目的に適合するように処理調整される空間を意味する。従って、冷房、暖房される室内空間のみを意味するだけでなく、食品などの腐敗を防ぐために低温貯蔵する冷蔵庫内空間、食品などを凍結させて保存する冷凍庫内空間等も含まれる。
【００２４】
また、上記第１の特徴のエジェクタ式冷凍サイクルにおいて、放熱器（１２）出口側冷媒と圧縮機（１１）吸入側冷媒とを熱交換させる内部熱交換器（２１）を備え、冷媒通路のうち空調対象空間の外部に配置される部位は、内部熱交換器（２１）よりも下流側に設けられていてもよい。
【００２５】
これによれば、例えば、車両用空調装置に適用した場合の低外気温除湿運転時のように、内部熱交換器（２１）において放熱器（１２）出口側冷媒が加熱されるような場合であっても、冷媒通路のうち空調対象空間の外部に配置される部位が、内部熱交換器（２１）よりも下流側に設けられているので、絞り手段（１７）へ流入する冷媒を確実に低温外気によって冷却することができる。
【００２６】
また、本発明では、冷媒を圧縮して吐出する圧縮機（１１）と、圧縮機（１１）から吐出された高圧冷媒を放熱させる放熱器（１２）と、放熱器（１２）出口側冷媒の流れを分岐する分岐部（Ｚ）と、分岐部（Ｚ）で分岐された一方の冷媒と圧縮機（１１）吸入側冷媒とを熱交換させる内部熱交換器（２１）と、内部熱交換器（２１）出口側冷媒を減圧膨張させるノズル部（１４ａ）から噴射する高速度の冷媒流によって、冷媒を冷媒吸引口（１４ｂ）から吸引するエジェクタ（１４）と、分岐部（Ｚ）で分岐された他方の冷媒を減圧膨張させる絞り手段（１７）と、絞り手段（１７）下流側の低圧冷媒を蒸発させて、冷媒吸引口（１４ｂ）上流側に流出する蒸発器（１８）とを備えるエジェクタ式冷凍サイクルを第２の特徴とする。
【００２７】
これによれば、分岐部（Ｚ）で分岐された冷媒のうち、内部熱交換器（２１）にて圧縮機（１１）吸入側冷媒と熱交換を行わない冷媒を絞り手段（１７）に流入させるので、例えば、車両用空調装置に適用した場合の低外気温除湿運転時であっても、内部熱交換器（２１）にて絞り手段（１７）に流入する冷媒が加熱されることがない。
【００２８】
従って、絞り手段（１７）へ流入する冷媒のエンタルピが増大して、気液二相状態になることがない。その結果、絞り手段（１７）におけるベーパロックが発生しない。
【００２９】
また、本発明では、冷媒を圧縮して吐出する圧縮機（１１）と、圧縮機（１１）から吐出された高圧冷媒を放熱させる放熱器（１２）と、放熱器（１２）出口側冷媒の流れを分岐する分岐部（Ｚ）と、分岐部（Ｚ）で分岐された一方の冷媒を減圧膨張させるノズル部（１４ａ）から噴射する高速度の冷媒流によって、冷媒を冷媒吸引口（１４ｂ）から吸引するエジェクタ（１４）と、分岐部（Ｚ）で分岐された他方の冷媒を減圧膨張させる絞り手段（１７）と、絞り手段（１７）下流側の低圧冷媒を蒸発させて、冷媒吸引口（１４ｂ）上流側に流出する蒸発器（１８）とを備え、放熱器（１２）出口側から絞り手段（１７）入口側へ至る冷媒通路のうち少なくとも一部には、冷媒通路の内部と外部との熱移動を抑制する断熱材（１６ａ）が設けられているエジェクタ式冷凍サイクルを第３の特徴とする。
【００３０】
これによれば、放熱器（１２）出口側から絞り手段（１７）入口側へ至る冷媒通路のうち少なくとも一部には、上記冷媒通路の内部と外部との熱移動を抑制する断熱材（１６ａ）が設けられているので、冷媒通路を通過する冷媒の温度よりも、冷媒通路の外部の温度が高くなる運転条件において、冷媒が冷媒通路で加熱されてしまうことを抑制できる。
【００３１】
その結果、第１の特徴のエジェクタ式冷凍サイクルと同様に、絞り手段（１７）へ流入する冷媒が気液二相状態になることを抑制して、絞り手段（１７）におけるベーパロックの発生を抑制できる。
【００３２】
また、本発明では、冷媒を圧縮して吐出する圧縮機（１１）と、圧縮機（１１）から吐出された高圧冷媒を放熱させる放熱器（１２）と、放熱器（１２）に向けて空気を送風する放熱器用送風手段（１３）と、放熱器（１２）出口側冷媒の流れを分岐する分岐部（Ｚ）と、分岐部（Ｚ）で分岐された一方の冷媒を減圧膨張させるノズル部（１４ａ）から噴射する高速度の冷媒流によって、冷媒を冷媒吸引口（１４ｂ）から吸引するエジェクタ（１４）と、分岐部（Ｚ）で分岐された他方の冷媒を減圧膨張させる絞り手段（１７）と、絞り手段（１７）下流側の低圧冷媒を蒸発させて、冷媒吸引口（１４ｂ）上流側に流出する蒸発器（１８）と、蒸発器（１８）に向けて空気を送風する蒸発器用送風手段（２０）と、圧縮機（１１）吐出側から絞り手段（１７）入口側に至る冷媒通路内の高圧側冷媒圧力と絞り手段（１７）出口側から冷媒吸引口（１４ｂ）へ至る冷媒通路内の低圧側冷媒圧力との高低圧差を検出する高低圧差検出手段（３３、３４）とを備え、高低圧差が予め定めた値以下になったとき、絞り手段（１７）へ流入する冷媒の圧力を上昇させるようになっているエジェクタ式冷凍サイクルを第４の特徴とする。
【００３３】
これによれば、高圧側冷媒圧力と低圧側冷媒圧力との高低圧差が予め定めた値以下になったとき、絞り手段（１７）へ流入する冷媒の圧力を上昇させるようになっているので、絞り手段（１７）の上流側と下流側との高低圧差を予め定めた値以上に維持できる。つまり、絞り手段（１７）の冷媒流路を通過する冷媒流量を所定の流量以上に維持できる。
【００３４】
従って、例えば、車両用空調装置に適用した場合の低外気温除湿運転時のように、絞り手段（１７）に気液二相状態の冷媒が流入しやすい運転条件においても、絞り手段（１７）の上流側と下流側との圧力差を、絞り手段（１７）の冷媒通路を塞いでしまう気泡を押し流すことができる値以上に維持することができる。その結果、絞り手段（１７）におけるベーパロックの発生を抑制できる。
【００３５】
また、上記第４の特徴のエジェクタ式冷凍サイクルにおいて、具体的に、高低圧差検出手段（３３、３４）は、実際の高圧側冷媒圧力と実際の低圧側冷媒圧力との差に基づいて、高低圧差を検出するようになっていてもよい。これによれば、高低圧差を確実に検出できるので、確実に絞り手段（１７）の上流側と下流側との圧力差を所定の値以上に維持できる。
【００３６】
さらに、高低圧差検出手段は、放熱器用送風手段（１３）の送風量と蒸発器用送風手段（２０）の送風量との差に基づいて、高低圧差を検出するようになっていてもよい。
【００３７】
一般的に、放熱器用送風手段（１３）の送風量が増加すると高圧側冷媒圧力が低下し、蒸発器用送風手段（２０）の送風量が増加すると低圧側冷媒圧力が上昇する。従って、放熱器用送風手段（１３）の送風量と蒸発器用送風手段（２０）の送風量との差に基づいて、高低圧差を検出することができる。
【００３８】
なお、各送風量は、例えば、放熱器用送風手段（１３）および蒸発器用送風手段（２０）として電動送風機を採用すれば、電動送風機に供給する電源電圧によって検出することができる。
【００３９】
さらに、高低圧差検出手段は、放熱器用送風手段（１３）の送風空気温度と蒸発器用送風手段（２０）の送風空気温度との差に基づいて、高低圧差を検出するようになっていてもよい。
【００４０】
一般的に、放熱器用送風手段（１３）の送風空気温度が上昇すると高圧側冷媒圧力が低下し、蒸発器用送風手段（２０）の送風空気温度が上昇すると低圧側冷媒圧力が上昇する。従って、放熱器用送風手段（１３）の送風空気温度と蒸発器用送風手段（２０）の送風空気温度との差に基づいて、高低圧差を検出することができる。
【００４１】
また、上述の第４の特徴のエジェクタ式冷凍サイクルにおいて、圧縮機（１１）吐出冷媒を放熱器（１２）下流側へ導くバイパス通路（３１）と、バイパス通路（３１）を開閉する開閉手段（３２）と、開閉手段（３２）の作動を制御する制御手段（３０）とを備え、制御手段（３０）は、高低圧差が予め定めた値以下になったとき、バイパス通路（３１）を開くように開閉手段（３２）を作動させてもよい。
【００４２】
これによれば、高低圧差が予め定めた値以下になったとき、開閉手段（３２）が開くので、放熱器（１２）において圧縮機（１１）吐出冷媒が冷却されない。従って、圧縮機（１１）吐出冷媒の凝縮量を低下させて、高圧側冷媒圧力を上昇させることができる。その結果、絞り手段（１７）へ流入する冷媒の圧力を上昇させることができる。
【００４３】
また、上述の第４の特徴のエジェクタ式冷凍サイクルにおいて、放熱器用送風手段（１３）の作動を制御する制御手段を備え、制御手段は、高低圧差が予め定めた値以下になったとき、放熱器用送風手段（１３）の作動を停止させてもよい。
【００４４】
これによれば、高低圧差が予め定めた値以下になったとき、放熱器用送風手段（１３）が作動を停止するので、放熱器（１２）において圧縮機（１１）吐出冷媒が冷却されない。その結果、絞り手段（１７）へ流入する冷媒の圧力を上昇させることができる。
【００４５】
また、上述の第４の特徴のエジェクタ式冷凍サイクルにおいて、放熱器用送風手段（１３）の送風空気の流れを遮断する遮断機構と、遮断機構の作動を制御する制御手段とを備え、制御手段は、高低圧差が予め定めた値以下になったとき、送風空気の流れを遮断するように遮断機構を作動させてもよい。
【００４６】
これによれば、高低圧差が予め定めた値以下になったとき、遮断機構が送風空気の流れを遮断するので、放熱器（１２）において圧縮機（１１）吐出冷媒が冷却されない。その結果、絞り手段（１７）へ流入する冷媒の圧力を上昇させることができる。
【００４７】
なお、この欄および特許請求の範囲で記載した各手段の括弧内の符号は、後述する実施形態に記載の具体的手段との対応関係を示すものである。
【発明を実施するための最良の形態】
【００４８】
（第１実施形態）
図１〜２により、本発明のエジェクタ式冷凍サイクル１０を車両用冷凍サイクル装置に適用した例を説明する。図１は、本実施形態のエジェクタ式冷凍サイクル１０の全体構成図である。エジェクタ式冷凍サイクル１０において、冷媒を吸入圧縮する圧縮機１１は、電磁クラッチ１１ａ、ベルト等を介して図示しない車両エンジンにより回転駆動される。
【００４９】
この圧縮機１１としては、吐出容量の変化により冷媒吐出能力を調整できる可変容量型圧縮機、あるいは電磁クラッチ１１ａの断続により圧縮機作動の稼働率を変化させて冷媒吐出能力を調整する固定容量型圧縮機のいずれを使用してもよい。また、圧縮機１１として電動圧縮機を使用すれば、電動モータの回転数調整により冷媒吐出能力を調整できる。
【００５０】
圧縮機１１の冷媒吐出側には、放熱器１２が接続されている。放熱器１２は圧縮機１１から吐出された高圧冷媒と放熱器用送風手段を構成する電動送風機１３により送風される外気（車室外空気）とを熱交換させて高圧冷媒を冷却するものである。
【００５１】
電動送風機１３は、周知の遠心多翼ファンを電動モータ１３ａにて回転駆動させる構成になっており、電動モータ１３ａの回転数は、後述する空調制御装置３０から出力される制御電圧によって制御される。
【００５２】
なお、本実施形態のエジェクタ式冷凍サイクル１０では、冷媒として通常のフロン系冷媒を採用し、高圧側冷媒圧力が冷媒の臨界圧力を超えない亜臨界サイクルを構成している。従って、放熱器１２は冷媒を凝縮させる凝縮器として機能する。
【００５３】
さらに、本実施形態の放熱器１２は、冷媒を凝縮させる凝縮用熱交換部と、この凝縮用熱交換部で冷却された冷媒の気液を分離するレシーバ１２ａと、このレシーバ１２ａからの飽和液相冷媒を過冷却する過冷却用熱交換部とを有して構成されている。つまり、本実施形態の放熱器１２は、いわゆるサブクール型凝縮器である。
【００５４】
放熱器１２出口側には、内部熱交換器２１の高圧側冷媒流路２１ａが接続されている。この内部熱交換器２１は、高圧側冷媒流路２１ａを通過する放熱器１２出口側冷媒と低圧側冷媒流路２１ｂを通過する圧縮機１１吸入側冷媒との間で熱交換を行うものである。
【００５５】
この内部熱交換器２１の具体的構成としては種々なものを採用できるが、本実施形態では、２重管式の熱交換器構成を採用している。具体的には、高圧側冷媒流路２１ａを形成する外側管の内側に低圧側冷媒流路２１ｂを形成する内側管を配置した構成になっている。
【００５６】
内部熱交換器２１の高圧側冷媒流路２１ａの出口側には、冷媒の流れを分岐する分岐点Ｚが設けられ、分岐点Ｚで分岐された一方の冷媒は、エジェクタ１４のノズル部１４ａ側に流入し、他方の冷媒は冷媒分岐通路１６を介して、エジェクタ１４の冷媒吸引口１４ｂ側に流入するようになっている。
【００５７】
エジェクタ１４は、冷媒を減圧する減圧手段であるとともに、高速で噴出する冷媒流の吸引作用によって冷媒の循環を行う冷媒循環手段でもある。
【００５８】
また、エジェクタ１４は、内部熱交換器２１の高圧側冷媒流路２１ａ出口側から流入する高圧冷媒の通路面積を小さく絞って、高圧冷媒を等エントロピ的に減圧膨張させるノズル部１４ａと、ノズル部１４ａの冷媒噴射口と連通するように配置されて後述する第２蒸発器１８から流出した冷媒を吸引する冷媒吸引口１４ｂとを有して構成される。
【００５９】
さらに、ノズル部１４ａおよび冷媒吸引口１４ｂの冷媒流れ下流側部位には、ノズル部１４ａから噴射する高速度の冷媒流と冷媒吸引口１４ｂからの吸引冷媒とを混合する混合部１４ｃが設けられ、混合部１４ｃの冷媒流れ下流側には昇圧部をなすディフューザ部１４ｄが設けられている。
【００６０】
ディフューザ部１４ｄは冷媒通路面積を徐々に大きくする形状に形成されており、冷媒流れを減速して冷媒圧力を上昇させる作用、つまり、冷媒の速度エネルギーを圧力エネルギーに変換する作用を果たす。さらに、エジェクタ１４のディフューザ部１４ｄ出口側には第１蒸発器１５が接続される。
【００６１】
第１蒸発器１５は、内部を通過する低圧冷媒と電動送風機１９により送風される空気（内気または外気）と熱交換させることによって、冷媒を蒸発させて吸熱作用を発揮させる吸熱器である。電動送風機１９は、前述の電動送風機１３と同様の構成で、電動送風機１９の電動モータ１９ａの回転数も、空調制御装置３０から出力される制御電圧によって制御される。
【００６２】
なお、第１蒸発器１５は車両用空調装置の室内空調ユニット（図示せず）の空気通路を形成するケース内に配置されて、このケース内を通過して車室内へ吹き出される空気を冷却する冷却手段を構成している。つまり、本実施形態では、第１蒸発器１５は車室内空調用として用いられており、第１蒸発器１５の空調対象空間は車室内となる。
【００６３】
また、上記室内空調ユニットのケース内のうち第１蒸発器１５の空気流れ下流側には、空気を加熱する加熱手段を構成するヒータコア（図示せず）等が配置され、このヒータコアの加熱度合いにより温度調整および湿度調整された空調風がケースの空気流れ下流側端部の吹出口（図示せず）から車室内へ吹き出すようになっている。
【００６４】
第１蒸発器１５の冷媒出口側には、前述の内部熱交換器２１の低圧側冷媒流路２１ｂが接続され、低圧側冷媒流路２１ｂの出口側には圧縮機１１吸入側が接続されている。
【００６５】
一方、分岐点Ｚで分岐された他方の冷媒は冷媒分岐通路１６を介して、エジェクタ１４の冷媒吸引口１４ｂ側に流入する。この冷媒分岐通路１６には絞り手段１７が配置され、この絞り手段１７よりも冷媒流れ下流側には第２蒸発器１８が配置されている。絞り手段１７は第２蒸発器１８へ流入する冷媒を減圧膨張させる減圧手段であって、具体的にはキャピラリチューブやオリフィスのような固定絞りで構成されている。
【００６６】
第２蒸発器１８は、内部を通過する低圧冷媒と蒸発器用送風手段である電動送風機２０により送風される空気と熱交換させることによって、冷媒を蒸発させて吸熱作用を発揮させる吸熱器である。電動送風機２０は、電動送風機１３、１９と同様の構成で、電動送風機２０の電動モータ２０ａの回転数も、空調制御装置３０から出力される制御電圧によって制御される。
【００６７】
なお、第２蒸発器１８は車室内に配置された冷蔵庫内へ吹き出される空気を冷却する冷却手段を構成している。つまり、本実施形態では、第２蒸発器１８は冷蔵庫内の冷却用として用いられており、第２蒸発器１８の空調対象空間（冷却対象空間）は冷蔵庫内となる。また、電動送風機２０は冷蔵庫内空気を第２蒸発器１８に向けて送風するようになっており、第２蒸発器１８にて冷却された冷風を冷蔵庫内に循環させている。
【００６８】
さらに、本実施形態では、図１の太破線に示すように、上記の構成のうち、圧縮機１１、放熱器１２、内部熱交換器２１、分岐部Ｚおよび冷媒分岐通路１６の絞り手段１７上流側を車室外に配置している。
【００６９】
なお、本実施形態の車室外とは、乗員が搭乗する車室の外部を意味し、エンジンルーム内、車室の床下等も車室外に含まれる。エンジンルーム内や車室の床下等についても、車両走行動圧（ラム圧）による走行風が流入するため、車室外と同等の温度環境となりうるからである。
【００７０】
より具体的には、本実施形態では、圧縮機１１、放熱器１２および内部熱交換器２１をエンジンルーム内に配置し、内部熱交換器２１の高圧側冷媒流路２１ａ下流側の分岐部Ｚおよび冷媒分岐通路１６の絞り手段１７上流側を車両床下に配置している。さらに、本実施形態の車室外は、空調対象空間の外部に相当する。
【００７１】
一方、上記の構成のうち、エジェクタ１４、第１蒸発器１５、絞り手段１７および第２蒸発器１８は車室内に配置されている。なお、本実施形態の車室内とは、乗員が搭乗する車室の内部のみを意味するものではなく、エンジンルームと車室内を仕切るダッシュパネルより車室内側等も含まれる。
【００７２】
つまり、ダッシュパネルと車両計器板等が配置されるインストルメントパネルとの間の空間等も車室内に含まれる。なお、前述の室内空調ユニットは、ダッシュパネルとインストルメントパネルとの間の空間に配置されている。
【００７３】
空調制御装置３０は、ＣＰＵ、ＲＯＭおよびＲＡＭ等を含む周知のマイクロコンピュータとその周辺回路から構成される。この空調制御装置３０は、そのＲＯＭ内に記憶された制御プログラムに基づいて各種演算、処理を行って、各種の電気式のアクチュエータ１３ａ、１９ａ、２０ａ等の作動を制御する。
【００７４】
また、空調制御装置３０には、外気温（車室外温度）を検出する外気センサ等のセンサ群の検出値や、車両用空調装置を作動させる作動スイッチ等が設けられた操作パネルの各種操作信号が入力される。なお、図１では、空調制御装置３０も車室内に配置されているが、空調制御装置３０の配置は車室外であってもよい。
【００７５】
次に、上述の構成において本実施形態の作動について説明する。まず、車室内を冷房し、冷蔵庫内を冷却する通常運転時について説明する。操作パネルの作動スイッチが投入されると、圧縮機１１に車両エンジンにより駆動力が伝達される。圧縮機１１で圧縮され吐出された高温高圧状態の気相冷媒は放熱器１２に流入する。
【００７６】
放熱器１２の凝縮用熱交換部では高温高圧の気相冷媒が外気により冷却されて凝縮し、凝縮した冷媒はレシーバ１２ａ内において気相冷媒と液相冷媒とに分離され、この液相冷媒が過冷却用熱交換部において、さらに冷却されて内部熱交換器２１の高圧側冷媒流路２１ａに流入する。
【００７７】
ここで、本実施形態のエジェクタ式冷凍サイクルの通常運転時における内部熱交換器２１の作用を図２により説明する。なお、図２は、本実施形態のエジェクタ式冷凍サイクルの冷媒の状態を示したモリエル線図であり、通常運転時の冷媒の状態を破線で示し、後述する低外気温除湿運転時の冷媒の状態を実線で示し、二点鎖線は等温線を示している。
【００７８】
通常運転時には、内部熱交換器２１において、高圧側冷媒流路２１ａの高温の高圧液相冷媒と低圧側冷媒流路２１ｂの低温の低圧冷媒との間で熱交換が行われる。従って、先願例のサイクルと同様に、内部熱交換器２１は、放熱器１２出口側冷媒のエンタルピを、ａ→ｂに示すように減少させ、圧縮機１１吸入側冷媒のエンタルピを、ｃ→ｄに示すように増大させるように作用する。
【００７９】
内部熱交換器２１の高圧側冷媒流路２１ａから流出した冷媒は、分岐点Ｚにてエジェクタ１４に向かう冷媒流れと、分岐冷媒通路１６に向かう冷媒流れとに分流する。
【００８０】
エジェクタ１４に流入した冷媒流れはノズル部１４ａで減圧され膨張する。これにより、ノズル部１４ａで冷媒の圧力エネルギーが速度エネルギーに変換され、このノズル部１４ａの噴出口から冷媒は高速度となって噴出する。この際の冷媒吸引作用により、冷媒吸引口１４ｂから分岐冷媒通路１６の第２蒸発器１８通過後の冷媒を吸引する。
【００８１】
ノズル部１４ａから噴出した冷媒と冷媒吸引口１４ｂに吸引された冷媒は、ノズル部１４ａ下流側の混合部１４ｃで混合してディフューザ部１４ｄに流入する。このディフューザ部１４ｄでは通路面積の拡大により、冷媒の速度（膨張）エネルギーが圧力エネルギーに変換されるため、冷媒の圧力が上昇する。
【００８２】
エジェクタ１４のディフューザ部１４ｄから流出した冷媒は第１蒸発器１５に流入する。第１蒸発器１５では、低圧冷媒が電動送風機１９の送風空気から吸熱して蒸発する。この第１蒸発器１５通過後の冷媒は内部熱交換器２１の低圧側冷媒流路２１ｂに流入して、内部熱交換器２１の高圧側冷媒流路２１ａの高圧冷媒と熱交換する。そして、低圧側冷媒流路２１ｂ通過後の気相冷媒は圧縮機１１に吸入され再び圧縮される。
【００８３】
一方、分岐冷媒通路１６に流入した冷媒流れは絞り手段１７で減圧されて低圧冷媒となり、この低圧冷媒が第２蒸発器１８に流入する。第２蒸発器１８では、低圧冷媒が電動送風機２０の送風空気から吸熱して蒸発する。この第２蒸発器１８通過後の気相冷媒は冷媒吸引口１４ｂからエジェクタ１４内に吸引される。
【００８４】
上記の如く作動することで、第１、２蒸発器１５、１８の双方に冷媒を供給できるので、第１、２蒸発器１５、１８で同時に冷却作用を発揮できる。その際に、第１蒸発器１５の冷媒蒸発圧力はディフューザ部１４ｄで昇圧した後の圧力となり、一方、第２蒸発器１８の冷媒蒸発圧力はノズル部１４ａでの減圧直後の圧力となる。
【００８５】
これにより、第１蒸発器１５の冷媒蒸発圧力（冷媒蒸発温度）よりも第２蒸発器１８の冷媒蒸発圧力（冷媒蒸発温度）を低くすることができる。本実施形態では、第１蒸発器１５を車室内空調用として用い、第２蒸発器１８を冷蔵庫内の冷却用として用いているので、車室内冷房温度よりも車載の冷凍冷蔵庫内の冷却温度を低くすることができる。
【００８６】
しかも、エジェクタ１４のディフューザ部１４ｄでの昇圧作用によって圧縮機１１の吸入圧を上昇できる分だけ、圧縮機１１の圧縮仕事量を低減できるので、圧縮機１１の省動力効果を得ることができる。さらに、内部熱交換器２１の作用によって、第１、２蒸発器１５、１８における冷媒入口・出口間の冷媒のエンタルピ差を拡大できるので、サイクルの冷凍能力を増大できる。その結果、サイクル効率（ＣＯＰ）を向上させることができる。
【００８７】
ところで、車両用空調装置では、冬季の低外気温時であっても車室内吹出空気の除湿および冷蔵庫内の温度維持を目的として、エジェクタ式冷凍サイクルを運転させることがある。このような運転条件では、車室外の温度が第２蒸発器１８の空調対象空間（冷却対象空間）の温度より低くなる運転条件となりうる。つまり、前述の低外気温除湿運転と同様の運転がなされることがある。
【００８８】
このような低外気温除湿運転では、前述の図７で説明したように、通常運転時に対して冷凍サイクルに要求される冷凍能力が少なくなり、サイクル熱負荷が小さくなる。そして、サイクルの高低圧差が小さくなるととともに、内部熱交換器２１の好ましくない熱交換によって、絞り手段１７においベーパロックが懸念される。
【００８９】
これに対して、本実施形態では、内部熱交換器２１の高圧側冷媒流路２１ａ出口側から絞り手段１７入口側に至る冷媒通路の一部が、車室外に配置されている。従って、低外気温除湿運転時に、内部熱交換器２１の高圧側冷媒流路２１ａ出口側から絞り手段１７入口側に至る冷媒通路を通過する冷媒を車室外の低温外気によって冷却することができる。
【００９０】
つまり、低外気温除湿運転時の内部熱交換器２１の好ましくない熱交換によって放熱器１２出口側冷媒が加熱されてしまう場合でも、低温外気によって絞り手段１７へ流入する冷媒を確実に再冷却することができる。
【００９１】
具体的には、低外気温除湿運転時において、内部熱交換器２１が放熱器１２出口側冷媒のエンタルピを、図２のｅ→ｆに示すように増加させてしまう場合でも、低温外気によって冷却することで、再びｆ→ｅ’に示すように減少させることができる。従って、絞り手段１７へ流入する冷媒が気液二相状態になることを抑制できる。その結果、絞り手段１７におけるベーパロックの発生を抑制できる。
【００９２】
ここで、上述の構成の車両用空調装置を夏季の高外気温時に運転した場合について説明する。夏季の高外気温時には、もちろん、車室外の温度が第２蒸発器１８の空調対象空間（冷却対象空間）の温度より高くなっている。さらに、この状態では、内部熱交換器２１は放熱器１２出口側冷媒のエンタルピを減少させるように作用する。
【００９３】
従って、内部熱交換器２１の高圧側冷媒流路２１ａ出口側から絞り手段１７入口側に至る冷媒通路を通過する冷媒を車室外の高温空気によって再加熱されてしまうことが懸念される。ところが、圧縮機１１から吐出された冷媒は放熱器１２において外気と熱交換して放熱するものの、必ずしも外気と同等の温度まで冷却されない。
【００９４】
そのため、内部熱交換器２１で冷却された高圧側冷媒流路２１ａ流出冷媒と、外気温との温度差は僅かな値に過ぎない。従って、内部熱交換器２１の高圧側冷媒流路２１ａ出口側から絞り手段１７入口側に至る冷媒通路が、車室外に配置されていても、内部熱交換器２１による冷凍能力増大効果を大幅に損ねることもない。
【００９５】
（第２実施形態）
上述の第１実施形態では、内部熱交換器２１の高圧側冷媒流路２１ａの下流側に分岐部Ｚを配置しているが、本実施形態では、図３に示すように、放熱器１２出口側と内部熱交換器２１入口側（具体的には、内部熱交換器２１の高圧側冷媒流路２１ａ入口側）との間に分岐部Ｚを配置している。さらに、分岐部Ｚ下流側の冷媒分岐通路１６の一部が車室内に配置されている。その他の構成は、第１実施形態と同様である。
【００９６】
上記の構成において本実施形態の作動について説明する。まず、車室内を冷房して、冷蔵庫を作動させる通常運転時は、第１実施形態と同様に、圧縮機１１で圧縮され吐出された高温高圧状態の気相冷媒は放熱器１２に流入して外気により冷却されて凝縮する。そして、高圧冷媒はレシーバ１２ａにて気液分離された冷媒のうち、液相冷媒が分岐部Ｚで分岐されて、一方の冷媒が、内部熱交換器２１の高圧側冷媒流路２１ａに流入する。
【００９７】
内部熱交換器２１の高圧側冷媒流路２１ａに流入した冷媒は、第１実施形態と同様に、エンタルピが減少されて、エジェクタ１４のノズル部１４ａに流入して減圧されて膨張する。
【００９８】
そして、ノズル部１４ａから噴射された冷媒は、冷媒吸引口１４ｂから吸引された第２蒸発器１８通過後の冷媒と混合されて、ディフューザ部１４ｄにて昇圧されて第１蒸発器１５に流入する。第１蒸発器１５に流入した冷媒は、電動送風機１９の送風空気から吸熱して蒸発し、内部熱交換器２１の低圧側冷媒流路２１ｂを介して圧縮機１１に吸入される。
【００９９】
一方、分岐冷媒通路１６に流入した冷媒流れは絞り手段１７で減圧されて低圧冷媒となり、この低圧冷媒が第２蒸発器１８に流入する。第２蒸発器１８に流入した冷媒は、電動送風機２０の送風空気から吸熱して蒸発する。この第２蒸発器１８通過後の気相冷媒は冷媒吸引口１４ｂからエジェクタ１４内に吸引される。
【０１００】
上記の如く作動することで、通常運転時には、第１実施形態と同様に、第１、２蒸発器１５、１８において異なる温度帯で同時に冷却作用を発揮できる。しかも、内部熱交換器２１の作用によって、第１蒸発器１５における冷媒入口・出口間の冷媒のエンタルピ差を拡大できるので、サイクル効率（ＣＯＰ）を向上させることができる。
【０１０１】
さらに、本実施形態では、分岐部Ｚが放熱器１２出口側と内部熱交換器２１入口側との間に配置されているので、絞り手段１７へ流入する冷媒が、内部熱交換機２１を通過することがない。従って、例えば、前述の低外気温除湿運転においても、内部熱交換器２１にて絞り手段１７に流入する冷媒が加熱されることがない。その結果、第１実施形態と同様に、絞り手段１７におけるベーパロックの発生を抑制できる。
【０１０２】
（第３実施形態）
上述の第１実施形態では、エジェクタ式冷凍サイクル１０のうち、圧縮機１１、放熱器１２、内部熱交換器２１、分岐部Ｚおよび冷媒分岐通路１６の絞り手段１７上流側を車室外に配置しているが、本実施形態では、図４に示すように、分岐部Ｚ下流側の冷媒分岐通路１６の一部が車室内に配置されている。
【０１０３】
さらに、冷媒分岐通路１６のうち車室内に配置された部分の外周には冷媒分岐通路１６の内部と外部との熱移動を抑制する断熱材１６ａが設けられている。具体的には、この断熱材１６ａとして、樹脂発泡材等が採用されており、冷媒分岐通路１６の外周に巻き付けられている。その他の構成は、第１実施形態と同様である。
【０１０４】
上記の構成において本実施形態の作動について説明する。まず、上述の通常運転時は、第１実施形態と同様に作用する。従って、第１実施形態と同様の効果を得ることができる。
【０１０５】
さらに、本実施形態では、冷媒分岐通路１６のうち車室内に配置された部分の外周に断熱材１６ａが設けられているので、例えば、前述の低外気温除湿運転のように、冷媒分岐通路１６を通過する冷媒の温度よりも、冷媒通路の外部である車室内温度が高くなる運転条件において、冷媒が冷媒通路で加熱されてしまうことを抑制できる。
【０１０６】
その結果、第１実施形態と同様に、絞り手段１７へ流入する冷媒が気液二相状態になることを抑制して、絞り手段１７におけるベーパロックの発生を抑制できる。
【０１０７】
（第４実施形態）
上述の第１実施形態では、エジェクタ式冷凍サイクル１０のうち、圧縮機１１、放熱器１２、内部熱交換器２１、分岐部Ｚおよび冷媒分岐通路１６の絞り手段１７上流側を車室外に配置しているが、本実施形態では、図５に示すように、分岐部Ｚ下流側の冷媒分岐通路１６の一部が車室内に配置されている。
【０１０８】
さらに、圧縮機１１吐出冷媒を放熱器１２下流側へバイパスさせるバイパス通路３１、このバイパス通路３１を開閉する開閉手段を構成する電磁弁３２、放熱器１２下流側冷媒圧力を検出する高圧圧力センサ３３、第２蒸発器１８下流側冷媒圧力を検出する低圧圧力センサ３４が設けられている。
【０１０９】
この電磁弁３２は、空調制御装置３０から出力される制御電圧によって開閉され、高圧圧力センサ３３および低圧圧力センサ３４の検出信号は、空調制御装置３０に入力される。
【０１１０】
ここで、高圧圧力センサ３３は高圧側冷媒圧力を検出する検出手段であり、低圧圧力センサ３４は低圧側冷媒圧力を検出する検出手段なので、各圧力センサ３３、３４によって高低圧差検出手段が構成される。さらに、本実施形態では、高低圧差が予め定めた値以下になったとき、空調制御装置３０が、電磁弁３２を開弁させるようになっている。
【０１１１】
上記の構成において本実施形態の作動について説明する。まず、上述の通常運転時は、第１実施形態と同様に作用する。従って、第１実施形態と同様の効果を得ることができる。
【０１１２】
さらに、本実施形態では、高低圧差が小さくなると空調制御装置３０が電磁弁３２を開弁させるので、例えば、前述の低外気温除湿運転のように、高低圧差が小さくなる運転条件において、圧縮機１１吐出冷媒の一部を、バイパス通路３１を介して、放熱器１２下流側に導くことができる。
【０１１３】
そして、バイパス通路３１を通過した圧縮機１１吐出冷媒の一部は、放熱器１２において冷却されることなく、放熱器１２下流側へ導かれるので、放熱器１２における圧縮機１１吐出冷媒の凝縮量を低下させて、高圧側冷媒圧力を上昇させることができる。従って、絞り手段１７へ流入する冷媒の圧力を、電磁弁３２を開弁させる前よりも上昇させることができる。
【０１１４】
これにより、絞り手段１７の上流側と下流側との圧力差が拡大し、絞り手段１７を通過する冷媒流量を増加させることができるので、低外気温除湿運転時のベーパロックの発生原因となる気泡が絞り手段１７の冷媒通路を塞いでしまっていても、この気泡を押し流すことができる。その結果、絞り手段１７におけるベーパロックの発生を抑制できる。
【０１１５】
（他の実施形態）
本発明は上述の実施形態に限定されることなく、以下のように種々変形可能である。
【０１１６】
（１）上述の各実施形態では、第１蒸発器１５を車室内空調用に用い、第２蒸発器１８を冷蔵庫内冷却用に用いているが、第１、２蒸発器１５、１８の用途は、これに限定されない。
【０１１７】
例えば、第１、２蒸発器１５、１８を車室内空調用に用いてもよい。すなわち、第１、２蒸発器１５、１８によって同一の空調対象空間（冷却対象空間）を冷却するようにしてもよい。なお、この場合は、電動送風機１９、２０のうちいずれか一方を廃止できるので、部品点数低減によるコストダウン効果を得ることもできる。
【０１１８】
また、第１、２蒸発器１５、１８によって同一の空調対象空間（冷却対象空間）を冷却する場合は、第１、２蒸発器１５、１８を同一の材料（例えば、アルミニウム材）等で構成して、ろう付け手段によって一体化してもよい。さらに、例えば、第１実施形態のエジェクタ式冷凍サイクルにおいて、第１蒸発器１５、第２蒸発器１８、絞り手段１７およびエジェクタ１４を一体化してもよい。
【０１１９】
具体的には、エジェクタ１４を第２蒸発器１８のヘッダタンク内部に収容し、キャピラリチューブで構成された絞り手段１７を第１蒸発器１５および第２蒸発器１８のヘッダタンク外壁面に沿って接合する構成にすればよい。
【０１２０】
（２）上述の各実施形態では、エジェクタ１４のディフューザ部１４ｄの下流側に第１蒸発器１５を配置しているが、この第１蒸発器１５を廃止してもよい。さらに、この場合は、放熱器１２のレシーバ１２ａを廃止して、ディフューザ部１４ｄ出口側と圧縮機１１吸入側との間に、冷媒の気液を分離する気液分離器をなすアキュムレータを配置して、このアキュムレータから気相冷媒を圧縮機１１吸入側に供給するようにしてもよい。
【０１２１】
もちろん、上述の各実施形態のサイクル構成において、レシーバ１２ａを廃止して上記のアキュムレータを設けてもよい。
【０１２２】
（３）上述の各実施形態では、絞り手段１７をキャピラリチューブやオリフィスのような固定絞りで構成しているが、さらにベーパロックを抑制するために、各実施形態の絞り手段１７の絞り形状を変更してもよい。具体的には、キャピラリチューブを採用している場合はチューブ内径の拡大化やチューブ長さの短縮化等を行えばよい。また、オリフィスを採用している場合は冷媒通路面積の拡大化等を行えばよい。
【０１２３】
（４）上述の第２実施形態のエジェクタ式冷凍サイクルに、第３実施形態の断熱材１６ａを適用してもよい。すなわち、第２実施形態の構成で、冷媒分岐通路１６のうち車室内に配置された部分の外周に断熱材１６ａを設けてもよい。
【０１２４】
これによれば、低外気温除湿運転時に、絞り手段１７に流入する冷媒が内部熱交換器２１および冷媒通路のいずれにおいても加熱されることがないので、より一層、絞り手段１７に流入する冷媒が加熱されてエンタルピを増加させることを防止できる。
【０１２５】
（５）上述の第４実施形態では、高圧圧力センサ３３および低圧圧力センサ３４によって、高低圧差検出手段を構成しているが、高低圧差検出手段はこれに限定されない。
【０１２６】
例えば、放熱器用送風手段である電送送風機１３の送風量と蒸発器用送風手段である電動送風機２０の送風量との差に基づいて、高低圧差を検出するようになっていてもよい。一般的に、放熱器用送風手段の送風量が増加すると高圧側冷媒圧力が低下し、蒸発器用送風手段の送風量が増加すると低圧側冷媒圧力が上昇する。従って、放熱器用送風手段の送風量と蒸発器用送風手段の送風量との差に基づいて、高低圧差を検出できる。
【０１２７】
具体的には、例えば、第４実施形態のサイクルにおいて、空調制御装置３０から各電動送風機１３、２０に出力される制御電圧と各電動送風機１３、２０の送風量との関係を示すマップ、電動送風機１３の送風量と高圧側冷媒圧力との関係を示すマップ、電動送風機２０の送風量と低圧側冷媒圧力との関係を示すマップ等を予め空調制御装置３０に記憶させておき、空調制御装置３０において各制御電圧に基づいて上記各マップを参照して高低圧差を決定すればよい。
【０１２８】
また、放熱器用送風手段の送風空気温度と蒸発器用送風手段の送風空気温度との差に基づいて、高低圧差を検出するようになっていてもよい。一般的に、放熱器用送風手段の送風空気温度が上昇すると高圧側冷媒圧力が低下し、蒸発器用送風手段の送風空気温度が上昇すると低圧側冷媒圧力が上昇する。従って、放熱器用送風手段の送風空気温度と蒸発器用送風手段の送風空気温度との差に基づいて、高低圧差を検出できる。
【０１２９】
具体的には、例えば、第４実施形態のサイクルにおいて、車室外温度を検出する外気温センサおよび冷蔵庫内温度を検出する庫内温度センサを設け、外気温センサによって放熱器用送風手段の送風空気温度を検出し、庫内温度センサによって蒸発器用送風手段の送風空気温度を検出する。
【０１３０】
さらに、放熱器用送風手段の送風空気温度と高圧側冷媒圧力との関係を示すマップ、蒸発器用送風手段の送風空気温度と低圧側冷媒圧力との関係を示すマップ等を予め空調制御装置３０に記憶させておき、空調制御装置３０において外気温センサおよび庫内温度センサの各検出値に基づいて上記各マップを参照して高低圧差を算定すればよい。
【０１３１】
（６）上述の第４実施形態では、圧縮機１１吐出冷媒を放熱器１２下流側へバイパスさせるバイパス通路３１およびバイパス通路３１を開閉する開閉手段を構成する電磁弁３２を設け、高低圧差が予め定めた値以下になったとき、電磁弁３２を開弁させることで高圧側冷媒圧力を上昇させているが、高圧側冷媒圧力を上昇させる手段は、これに限定されない。
【０１３２】
例えば、放熱器用送風手段の作動を制御する制御手段を設けて、高低圧差が予め定めた値以下になったとき、制御手段が放熱器用送風手段の作動を停止するようになっていてもよい。具体的には、上述の第４実施形態のサイクルにおいて、高低圧差が予め定めた値以下になったとき、空調制御装置３０が電動送風機１３の作動を停止させてもよい。
【０１３３】
また、放熱器用送風手段の送風空気の流れを遮断する遮断機構と、遮断機構の作動を制御する制御手段とを設けて、高低圧差が予め定めた値以下になったとき、制御手段が送風空気の流れを遮断するように遮断機構を作動させてもよい。
【０１３４】
具体的には、上述の第４実施形態のサイクルにおいて、電動送風機１３と放熱器１２との間に、空調制御装置３０の制御信号によって作動する遮断機構を配置する。この遮断機構としては、スライド式の開閉ドア等を採用できる。そして、高低圧差が予め定めた値以下になったとき、空調制御装置３０が、送風空気の流れを遮断するように遮断機構を作動させてもよい。
【０１３５】
（７）上述の各実施形態では、車両用の冷凍サイクルについて説明したが、車両用に限らず、定置用等の冷凍サイクルに対しても本発明を同様に適用できることはもちろんである。
【０１３６】
（８）上述の実施形態では、放熱器１２を冷媒と外気とを熱交換させる室外側熱交換器とし、第１、２蒸発器１５、１８を室内側熱交換器として車室内および冷蔵庫内の冷却用に適用しているが、逆に、第１、２蒸発器１５、１８を外気等の熱源から吸熱する室外側熱交換器として構成し、放熱器１２を空気あるいは水等の被加熱流体を加熱する室内側熱交換器として構成するヒートポンプサイクルに本発明を適用してもよい。
【図面の簡単な説明】
【０１３７】
【図１】第１実施形態のエジェクタ式冷凍サイクルの全体構成図である。
【図２】第１実施形態のエジェクタ式冷凍サイクルのモリエル線図である。
【図３】第２実施形態のエジェクタ式冷凍サイクルの全体構成図である。
【図４】第３実施形態のエジェクタ式冷凍サイクルの全体構成図である。
【図５】第４実施形態のエジェクタ式冷凍サイクルの全体構成図である。
【図６】先願例のエジェクタ式冷凍サイクルの全体構成図である。
【図７】先願例のエジェクタ式冷凍サイクルのモリエル線図である。
【符号の説明】
【０１３８】
１１…圧縮機、１２…放熱器、１３、２０…電動送風機、１４…エジェクタ、
１４ａ…ノズル部、１４ｂ…冷媒吸引口、１６ａ…断熱材、１７…絞り手段、
１８…第２蒸発器、２１…内部熱交換器、３０…空調制御装置、３１…バイパス通路、
３２…電磁弁、３３…高圧圧力センサ、３４…低圧圧力センサ。
【図１】
2008025862.tif 000003
【図２】
2008025862.tif 000004
【図３】
2008025862.tif 000005
【図４】
2008025862.tif 000006
【図５】
2008025862.tif 000007
【図６】
2008025862.tif 000008
【図７】
2008025862.tif 000009